【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
複数の画像形成装置と通信する情報処理装置であって、
複数種類の画像形成装置に対して指示をすることができる第１デバイスドライバのインストールを制御する第１インストール手段と、
前記第１デバイスドライバのインストールに伴い、前記第１デバイスドライバから渡されるデータを受け取って、画像形成装置に対して送信して処理させるための処理データを生成する際に実行される第２デバイスドライバのインストールを制御する第２インストール手段と、を有し、
前記第１インストール手段によるインストールに際しては、前記第１デバイスドライバのポートを確定することなく、インストールの制御が行われることを特徴とする情報処理装置。
【請求項２】
前記第１インストール手段によるインストールに際しては、前記第１デバイスドライバに対応するプリントキューが作成され、
前記第２インストール手段によるインストールに際しては、前記第２デバイスドライバに対応するプリントキューが作成されないことを特徴とする請求項１に記載の情報処理装置。
【請求項３】
複数の画像形成装置の中からひとつの画像形成装置を選択する選択手段と、
前記第２インストール手段によるインストールの後に行われる前記選択手段による選択に応答して、該選択された画像形成装置を出力先とするためのポートを第２デバイスドライバに対して設定する設定手段と、を更に有し、
前記第２デバイスドライバは、前記第１デバイスドライバから渡されるデータから、前記設定されたポートに対応する画像形成装置に処理させる処理データを生成することを特徴とする請求項１または２に記載の情報処理装置。
【請求項４】
前記第１デバイスドライバは、複数種類のデバイスドライバにより解釈されることが可能な中間データを生成して、前記第２デバイスドライバに渡すことを特徴とする請求項１乃至３のいずれか１項に記載の情報処理装置。
【請求項５】
前記第２インストール手段は、既に第２デバイスドライバがインストールされていた場合には、前記インストールの制御を行わないことを特徴とする請求項１乃至４のいずれか１項に記載の情報処理装置。
【請求項６】
前記第２インストール手段によるインストールに際しては、前記第２デバイスドライバとして、複数種類の画像形成装置に対して指示をすることができる汎用デバイスドライバのインストールの制御が行われることを特徴とする請求項１乃至５のいずれか１項に記載の情報処理装置。
【請求項７】
複数の画像形成装置と通信する情報処理装置における制御方法であって、
複数種類の画像形成装置に対して指示をすることができる第１デバイスドライバのインストールを制御する第１インストール工程と、
前記第１デバイスドライバのインストールに伴い、前記第１デバイスドライバから渡されるデータを受け取って、画像形成装置に対して送信して処理させるための処理データを生成する際に実行される第２デバイスドライバのインストールを制御する第２インストール工程と、を有し、
前記第１インストール工程でのインストールに際しては、前記第１デバイスドライバのポートを確定することなく、インストールの制御が行われることを特徴とする制御方法。
【請求項８】
前記第１インストール工程でのインストールに際しては、前記第１デバイスドライバに対応するプリントキューが作成され、
前記第２インストール工程でのインストールに際しては、前記第２デバイスドライバに対応するプリントキューが作成されないことを特徴とする請求項７に記載の制御方法。
【請求項９】
複数の画像形成装置の中からひとつの画像形成装置を選択する選択工程と、
前記第２インストール工程でのインストールの後に行われる前記選択工程での選択に応答して、該選択された画像形成装置を出力先とするためのポートを第２デバイスドライバに対して設定する設定工程と、を更に有し、
前記第２デバイスドライバは、前記第１デバイスドライバから渡されるデータから、前記設定されたポートに対応する画像形成装置に処理させる処理データを生成することを特徴とする請求項７または８に記載に記載の制御方法。
【請求項１０】
前記第１デバイスドライバは、複数種類のデバイスドライバにより解釈されることが可能な中間データを生成して、前記第２デバイスドライバに渡すことを特徴とする請求項７乃至９のいずれか１項に記載の制御方法。
【請求項１１】
請求項７乃至１０のいずれか１項に記載の制御方法における工程をコンピュータに実行させる制御プログラム。
【請求項１２】
画像形成装置と通信する情報処理装置であって、
ネットワークに接続された画像形成装置から、当該画像形成装置専用である専用デバイスドライバに対応する機器情報と、当該画像形成装置を含む複数種類の画像形成装置に対して指示をすることができる汎用デバイスドライバに対応するタイプ情報と、を取得する取得手段と、
情報処理装置内のデバイスドライバのデータベースまたはネットワーク上のサーバから、前記機器情報に適合する専用デバイスドライバが見つかった場合に、当該専用デバイスドライバのインストールを制御するインストール手段と、
前記専用デバイスドライバが見つからなかった場合に、既にインストール済みの前記タイプ情報に適合する汎用デバイスドライバに対応するプリントキューを作成する作成手段と、を備えることを特徴とする情報処理装置。
【請求項１３】
前記汎用デバイスドライバを利用することが優先されている場合には、前記機器情報を用いた前記専用デバイスドライバのインストールの制御が行われることなく、前記作成手段が汎用デバイスドライバに対応するプリントキューを作成することを特徴とする請求項１２に記載の情報処理装置。
【請求項１４】
画像形成装置と通信する情報処理装置における制御方法であって、
ネットワークに接続された画像形成装置から、当該画像形成装置専用である専用デバイスドライバに対応する機器情報と、当該画像形成装置を含む複数種類の画像形成装置に対して指示をすることができる汎用デバイスドライバに対応するタイプ情報と、を取得する取得工程と、
情報処理装置内のデバイスドライバのデータベースまたはネットワーク上のサーバから、前記機器情報に適合する専用デバイスドライバが見つかった場合に、当該専用デバイスドライバのインストールを制御するインストール工程と、
前記専用デバイスドライバが見つからなかった場合に、既にインストール済みの前記タイプ情報に適合する汎用デバイスドライバに対応するプリントキューを作成する作成工程と、を備えることを特徴とする制御方法。
【請求項１５】
請求項１４に記載の制御方法における工程をコンピュータに実行させる制御プログラム。
【手続補正２】
【補正対象書類名】明細書
【補正対象項目名】０００９
【補正方法】変更
【補正の内容】
【０００９】
上記目的の少なくとも一つを達成するため、本発明の情報処理装置は、複数の画像形成装置と通信する情報処理装置であって、複数種類の画像形成装置に対して指示をすることができる第１デバイスドライバのインストールを制御する第１インストール手段と、前記第１デバイスドライバのインストールに伴い、前記第１デバイスドライバから渡されるデータを受け取って、画像形成装置に対して送信して処理させるための処理データを生成する際に実行される第２デバイスドライバのインストールを制御する第２インストール手段と、を有し、前記第２インストール手段によるインストールに際しては、前記第２デバイスドライバのポートを確定することなく、インストールの制御が行われることを特徴とする。